(57)【要約】【課題】原稿のディジタル情報がネットワーク上に流れず、セキュリティ面においても強固なシステムとなり、保証する管理サーバ等の外部機器に確保すべき記憶容量を軽減することである。【解決手段】原稿を電子データとして取り込み、該電子データに所定の画像処理を施す画像処理装置と外部機器とが通信可能な画像処理システムにおいて、前記電子データに付与すべき特定情報を選択し（Ｓ２０１）、前記電子データの特徴量を抽出し（Ｓ２０３）、前記外部機器に対して識別番号の発行を要求し（Ｓ２０４）、該要求に応じて、前記外部機器より発行される識別番号を取得し（Ｓ２０５）、該取得される識別番号と、抽出された特徴量と、選択される特定情報とから原本特定情報を生成して外部機器に送信する（Ｓ２０６）構成を特徴とする。【選択図】      図１９
2004320378.tif 000002
【特許請求の範囲】
【請求項１】
原稿を電子データとして取り込み、該電子データに所定の画像処理を施す画像処理装置と外部機器とが通信可能な画像処理システムにおける画像処理方法であって、
前記電子データに付与すべき特定情報を選択する選択ステップと、
前記電子データの特徴量を抽出する抽出ステップと、
前記外部機器に対して識別番号の発行を要求する要求ステップと、
前記要求ステップに応じて、前記外部機器より発行される識別番号を取得する取得ステップと、
前記取得ステップにより取得される識別番号と、前記抽出ステップにより抽出される特徴量と、前記選択ステップにより選択される特定情報とから原本特定情報を生成して前記外部機器に送信する送信ステップと、
を有することを特徴とする画像処理方法。
【請求項２】
原稿を電子データとして取り込み、該電子データに所定の画像処理を施す画像処理装置と外部機器とが通信可能な画像処理システムにおける画像処理方法であって、
前記外部機器からの要求に応じて、識別番号を発行する発行ステップと、
前記画像処理装置が前記識別番号と、画像読み取り手段にて原稿から抽出される特徴量と、選択される特定情報とから生成される原本特定情報と前記識別番号とが一致するかどうかを検証する検証ステップと、
前記検証ステップにより識別番号が一致すると検証された場合に、前記原本特定情報を記憶装置に原本登録する登録ステップと、
を有することを特徴とする画像処理方法。
【請求項３】
原稿を電子データとして取り込み、該電子データに所定の画像処理を施す画像処理装置と外部機器とが通信可能な画像処理システムにおける画像処理方法であって、
前記電子データの特徴量を抽出する抽出ステップと、
前記抽出ステップにより抽出された特徴量と、前記外部機器から発送されている識別番号とから原本鑑定依頼情報を生成して前記外部機器に送信する送信ステップと、
前記外部機器から通知される鑑定結果を操作部に表示する表示ステップと、
を有することを特徴とする画像処理方法。
【請求項４】
原稿を電子データとして取り込み、該電子データに所定の画像処理を施す画像処理装置と外部機器とが通信可能な画像処理システムにおける画像処理方法であって、
前記外部機器から送信される特徴量と識別番号とを含む原本鑑定依頼情報を登録された原本特定情報と比較検証して鑑定する鑑定ステップと、
前記鑑定ステップによる鑑定結果を前記画像処理装置に通知する通知ステップと、
を有することを特徴とする画像処理方法。
【発明の詳細な説明】
【０００１】
【発明の属する技術分野】
本発明は、原稿を電子データとして取り込み、該電子データに所定の画像処理を施す画像処理装置と外部機器とが通信可能な画像処理システムにおける画像処理方法に関するものである。
【０００２】
【従来の技術】
従来、文書原稿をスキャン、認識、プリントできる画像処理システムにおいて、原本性保証処理を行える種々の装置あるいはシステムの提案がなされている。
【０００３】
例えば、紙の原本が有する性質を電子情報に持たせ、電子情報の証明力を高めることを目的に、電子データを保存する際に、原本であることを示すファイル属性コードを付加し、少なくとも他の電子データと識別可能な状態で保存するようにしている（特許文献１参照）。
【０００４】
また、保存された申請書類の安全性を長期に渡って確保する電子申請システムを提供することを目的として端末からネットワーク経由で電子的な書類の申請を行う電子申請システムが提供され、その電子申請システムは、書類保存装置と、端末から送信された書類を含む情報から改竄検知コードを計算する手段と、該情報を該改竄検知コートとともに書類保存装置に保存する手段とを有している（特許文献２参照）。
【０００５】
【特許文献１】
特開２０００−２８５０２４号公報
【０００６】
【特許文献２】
特開２００１−２０２４３６号公報
【０００７】
【発明が解決しようとする課題】
しかし、特許文献１，２で示すように、電子情報の形態で管理サーバに元のデータを保存しておく事は、大規模な電子記憶装置が必要になりその維持管理が容易ではない。
【０００８】
また、電子情報を長期に渡り外部の記憶装置に保持することにより機密保全上のリスクが増大する。
【０００９】
本発明は、上記の問題点を解決するためになされたもので、本発明の目的は、原稿の登録には、原稿をディジタル化したものからの特徴量を登録するため、原稿のディジタル情報がネットワーク上に流れず、セキュリティ面においても強固なシステムとなり、保証する管理サーバ等の外部機器に確保すべき記憶装置の記憶容量を軽減できる画像処理方法を提供することである。
【００１０】
【課題を解決するための手段】
上記目的を達成する本発明の画像処理方法は以下に示す構成を備える。
【００１１】
本発明に係る第１の発明は、原稿を電子データとして取り込み、該電子データに所定の画像処理を施す画像処理装置と外部機器とが通信可能な画像処理システムにおける画像処理方法であって、前記電子データに付与すべき特定情報を選択する選択ステップ（図１９に示すステップＳ２０１）と、前記電子データの特徴量を抽出する抽出ステップ（図１９に示すステップＳ２０３）と、前記外部機器に対して識別番号の発行を要求する要求ステップ（図１９に示すステップＳ２０４）と、前記要求ステップに応じて、前記外部機器より発行される識別番号を取得する取得ステップ（図１９に示すステップＳ２０５）と、前記取得ステップにより取得される識別番号と、前記抽出ステップにより抽出される特徴量と、前記選択ステップにより選択される特定情報とから原本特定情報を生成して前記外部機器に送信する送信ステップ（図１９に示すステップＳ２０６）とを有することを特徴とする。
【００１２】
本発明に係る第２の発明は、原稿を電子データとして取り込み、該電子データに所定の画像処理を施す画像処理装置と外部機器とが通信可能な画像処理システムにおける画像処理方法であって、前記外部機器からの要求に応じて、識別番号を発行する発行ステップ（図１９に示すステップＳ２０８，Ｓ２０９）と、前記画像処理装置が前記識別番号と、画像読み取り手段にて原稿から抽出される特徴量と、選択される特定情報とから生成される原本特定情報と前記識別番号とが一致するかどうかを検証する検証ステップ（図１９に示すステップＳ２１０）と、前記検証ステップにより識別番号が一致すると検証された場合に、前記原本特定情報を記憶装置に原本登録する登録ステップ（図１９に示すステップＳ２１１）とを有することを特徴とする。
【００１３】
本発明に係る第３の発明は、原稿を電子データとして取り込み、該電子データに所定の画像処理を施す画像処理装置と外部機器とが通信可能な画像処理システムにおける画像処理方法であって、前記電子データの特徴量を抽出する抽出ステップ（図２６に示すステップＳ２１３）と、前記抽出ステップにより抽出された特徴量と、前記外部機器から発送されている識別番号とから原本鑑定依頼情報を生成して前記外部機器に送信する送信ステップ（図２６に示すステップＳ２１４）と、前記外部機器から通知される鑑定結果を操作部に表示する表示ステップ（図２６に示すステップＳ２１５）とを有することを特徴とする。
【００１４】
本発明に係る第４の発明は、原稿を電子データとして取り込み、該電子データに所定の画像処理を施す画像処理装置と外部機器とが通信可能な画像処理システムにおける画像処理方法であって、前記外部機器から送信される特徴量と識別番号とを含む原本鑑定依頼情報を登録された原本特定情報と比較検証して鑑定する鑑定ステップ（図２６に示すステップＳ２１６）と、前記鑑定ステップによる鑑定結果を前記画像処理装置に通知する通知ステップ（図２６に示すステップＳ２１７）とを有することを特徴とする。
【００１５】
【発明の実施の形態】
〔第１実施形態〕
図１は、本発明の第１実施形態を示す画像出力装置および情報処理装置を適用可能な画像処理システムの一例を示すブロック図である。
【００１６】
図１において、画像形成装置（機能複合型周辺機器（以降、ＭＦＰと呼ぶ場合がある））２００は、画像入力デバイスであるスキャナ２０７０、画像出力デバイスであるプリンタ２０９５、コントローラユニット２０００、ユーザインタフェースである操作部２０１２から構成される。
【００１７】
スキャナ２０７０、プリンタ２０９５、操作部２０１２は、それぞれコントローラユニット２０００に接続され、コントローラユニット２０００は、ＬＡＮ２０１１などのネットワーク伝送手段に接続されている。
【００１８】
また、ＬＡＮ２０１１には、画像形成装置２００と同様の機器構成をもつ他の画像形成装置２２０が接続されている。画像形成装置２２０は、それぞれスキャナ２２７０、プリンタ２２９５、操作部２２１２を持ち、それらがコントローラユニット２２００に接続されている。
【００１９】
コントローラユニット２２００に接続されたスキャナ２２７０、プリンタ２２９５、操作部２２１２は制御ユニット２２００からの命令により制御されている。また、制御ユニット２２００は、ローカルエリアネットワーク（ＬＡＮ）２０１１などのネットワーク伝送手段に接続されている。
【００２０】
また、ＬＡＮ２０１１には、ＭＦＰ２２０のほかに、第二のＭＦＰ２００及び、保証付与／鑑定サーバ（以下、単にサーバという）２３７０が接続されている。ＭＦＰ２２０とＭＦＰ２００は同じシステム構成を取っており、以降のＭＦＰで実現される画像処理は、ＭＦＰ２００を例にとり説明する。
【００２１】
図２は、図１に示した画像形成装置２００のコントローラユニット２０００の構成を説明するブロック図であり、他の画像形成装置２２０も同様の構成を備えているものとする。
【００２２】
図２において、コントローラユニット２０００は、画像入力デバイスであるスキャナ２０７０や画像出力デバイスであるプリンタ２０９５と接続し、一方ではＬＡＮ２０１１や公衆回線（ＷＡＮ）２０５１に接続することで、画像情報やデバイス情報の入出力を行う為のコントローラである。
【００２３】
ＣＰＵ２００１はシステム全体を制御するコントローラである。ＲＡＭ２００２は、ＣＰＵ２００１が動作するためのシステムワークメモリであり、画像データを一時記憶するための画像メモリでもある。ＲＯＭ２００３はブートＲＯＭであり、システムのブートプログラムが格納されている。
【００２４】
ＨＤＤ２００４はハードディスクドライブで、システムソフトウェア、画像データを格納する。操作部Ｉ／Ｆ２００６は操作部（ＵＩ）２０１２とのインタフェース部で、操作部２０１２に表示する画像データを操作部２０１２に対して出力する。
【００２５】
また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。Ｍｏｄｅｍ２０５０は公衆回線２０５１に接続し、情報の入出力を行う。以上のデバイスがシステムバス２００７上に配置される。
【００２６】
Ｉｍａｇｅ  ＢｕｓＩ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。
【００２７】
ラスタイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラユニット２０００を接続し、画像データの同期系／非同期系の変換を行う。
【００２８】
スキャナ画像処理部２０８０は、入力画像データに対し補正、加工、編集を行う。プリンタ画像処理部は、プリント出力画像データに対して、プリンタの補正、解像度変換等を行う。
【００２９】
画像回転部２０３０は画像データの回転を行う。画像圧縮部２０４０は、多値画像データに対してはＪＰＥＧ、２値画像データに対してはＪＢＩＧ、ＭＭＲ、ＭＨの圧縮伸長処理を行う。なお、ＨＤＤ２００４はシステムソフトウェア、画像データ、原本保証／鑑定を行うため必要な画像処理アルゴリズムなどが格納されている。
【００３０】
図３は、図１に示した画像形成装置２００のスキャナ２０７０、プリンタ２０９５の構成を説明する外観図である。
【００３１】
図３に示すように、画像入力デバイスであるスキャナ２０７０は、原稿となる紙上の画像を照明し、ＣＣＤラインセンサ（図示せず）を走査することで、ラスタイメージデータとして電気信号に変換する。原稿用紙は原稿フィーダ２０７２のトレイ２０７３にセットし、装置使用者が操作部２０１２から読み取り起動を指示することにより、ＣＰＵ２００１がスキャナ２０７０に指示を与え、フィーダ２０７２は原稿用紙を１枚ずつフィードし原稿画像の読み取り動作を行う。
【００３２】
画像出力デバイスであるプリンタ２０９５は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、その他のどのプリント方式（例えば電子写真方式）でも構わない。
【００３３】
プリント動作の起動は、ＣＰＵ２００１からの指示によって開始する。プリンタ２０９５には、異なる用紙サイズまたは異なる用紙向きを選択できるように複数の給紙段を持ち、それに対応した用紙カセット２１０１，２１０２，２１０３がある。また、排紙トレイ２１１１は印字し終わった用紙を受けるものである。
【００３４】
図４は、図３に示した操作部２０１２の構成を説明する平面図である。
【００３５】
図４において、ＬＣＤ表示部２０１３は、ＬＣＤ上にタッチパネルシート２０１９が貼られており、システムの操作画面およびソフトキーを表示するとともに、表示してあるキーが押されるとその位置情報をＣＰＵ２００１に伝える。
【００３６】
スタートキー２０１４は原稿画像の読み取り動作を開始する時などに用いる。スタートキー２０１４の中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【００３７】
図５は、図４に示した操作部２０１２の制御構成を説明するブロック図であり、図２と同一のものには同一の符号を付してある。
【００３８】
図５において、２００１はＣＰＵで、ＲＯＭ２００３のプログラム用ＲＯＭとＨＤＤ２００４に記憶された制御プログラム等に基づいてシステムバス２００７に接続される各種デバイスとのアクセスを総括的に制御し、画像入力部インタフェース２０７１を介して接続されるスキャナ２０７０から入力情報を読み込み、印刷部インタフェース２０９６を介して接続されるプリンタ２０９５に出力情報としての画像信号を出力する。２００２はＲＡＭで、ＣＰＵ２００１の主メモリ、ワークエリア等として機能する。
【００３９】
タッチパネル２０１９、ハードキー２０１４〜２０１７から、ユーザ入力を受け取り操作入力部Ｉ／Ｆである入力ポート２００６１を介して、操作内容を取得する。
【００４０】
取得した操作内容と前述の制御プログラムにもとづいて、ＣＰＵ２００１において表示画面データが生成され、画面出力デバイスを制御する出力デバイスコントローラとして機能する出力ポート２００６２を介して、ＬＣＤ表示部２０１３やＣＲＴなどの画面出力デバイスに表示画面を出力する。また、出力ポート２００６２を介して、ＬＥＤ２０１８の消灯，点滅，点灯も制御される。
【００４１】
なお、操作部２０１２は、操作部Ｉ／Ｆ２００６を介してシステムバス２００７に接続される。このシステムバス２００７には、ＣＰＵ２００１、ＲＡＭ２００２、ＲＯＭ２００３、ＨＤＤ２００４が接続されている。このＣＰＵ２００１は、ＲＯＭ２００３とＨＤＤ２００４に記憶された制御プログラム等に基づいてシステムバス２００７に接続される各種デバイスとのアクセスを総括的に制御する。
【００４２】
また、ＣＰＵ２００１は、デバイスＩ／Ｆ２０２０を介して、スキャナ２０７０から入力情報を読み込み、デバイスＩ／Ｆ２０２０を介して、スキャナ画像処理部２０８０、もしくは、操作者の用途によっては、画像回転部２０３０で回転され、プリンタ２０９５に出力情報として画像信号を出力する。また、ＲＡＭ２００２は、ＣＰＵ２００１の主メモリ、ワークエリア等として機能する。
【００４３】
以上がＭＦＰ２００もしくは２２０の構成及び動作である。
【００４４】
つづいて、本実施形態で示す原本を保証するシステムの動作について説明する。本実施形態では、紙などで形成された原本を上述したＭＦＰを使って登録、鑑定するシステムを想定している。
【００４５】
図６は、図１に示したＭＦＰ２００，２２０から入力される保証すべき原本の一例を示す図である。
【００４６】
図６において、６０１は原稿で、保証すべき原本となる。
【００４７】
図７は、本発明に係る画像処理システムにおける原本原稿処理におけるデータの流れを説明するブロック図であり、図１と同一のものには同一の符号を付してある。
【００４８】
また、図８，図９は、図１に示した操作部２０１２に表示される設定画面の一例を示す図であり、図１０〜図１２は、図８，図９に示した操作部２０１２に表示される設定画面表示例を示す図である。
【００４９】
図１３は、図２に示したスキャナ画像処理部２０８０の特徴画像抽出部の構成を説明する図である。
【００５０】
図１３において、はじめにスキャナ２２７０で読み込まれた画像は、赤（Ｒ）、緑（Ｇ）、青（Ｂ）の３原色のディジタル信号に分解され、スキャナ画像処理部２０８０にて、特徴量が算出される。送出されたＲ、Ｇ、Ｂ信号は、続くモノクロ信号生成部１１０１にて、下記第（１）式に従ってモノクロ信号Ｋｄに変換される。
【００５１】
Ｋｄ  ＝  （Ｒ＋２×Ｇ＋Ｂ）／４      ……（１）
上記第（１）式では、Ｇ信号にＲ、Ｂの２倍のゲインを掛けて平均化することにより輝度信号を得ている。なお、輝度信号の生成手段は本式に限らず、例えばＮＴＳＣで規定されている係数をもとに算出しても構わない。
【００５２】
得られた輝度信号Ｋｄは、続く下地検出部１１０２にて、原本画像中の下地レベルＴｈを検出する。
【００５３】
図１４は、図１３に示したヒストグラム形状生成部１１０４により生成される輝度信号の頻度特性を示す図であり、縦軸は出現頻度を示し、横軸は輝度レベル（輝度信号レベル（０〜２５５）を示す。
【００５４】
図１４において、Ｌ−ｍａｘは、測定可能な最大輝度レベル（本実施形態の場合は２５５）Ｌ−ｍａｘを表し、Ｕ−ｐｅａｋは、最大頻度を表す。本実施形態で想定する原本としては、テキスト中心の画像原稿を想定しているため、下地部分の多くは明るい色に集中することが多く、図１４に示すような明度の高い領域にＵ−ｐｅａｋが存在する。Ｕ−ｐｅａｋが検出されると、図１４に示すＤｆレベルだけ、Ｕ−ｐｅａｋから減算された輝度値を下地レベルＴｈとして下地検出部１１０２の処理を終了する。
【００５５】
本実施形態では、Ｄｆは固定値とするが、ヒストグラムの形状に応じて変更しても構わない。
【００５６】
下地検出部１１０２より検出された下地レベルＴｈは、続く二値画像生成部１１０３へと送出され、モノクロ信号Ｋｄから、閾値としての下地レベルＴｈと以下の比較演算を行うことにより、１、０の二値画像へと変換される。
【００５７】
なお、条件式は、ｉｆ（Ｋｄ≦Ｔｈ）ｔｈｅｎ  Ｋｄ＝１、ｅｌｓｅ  Ｋｄ＝０
となる。よって、下地レベルＴｈより暗い部分は”１”へ明るい部分は”０”へと変換される。二値画像生成部１１０３で生成された二値画像Ｂｉは、続くヒストグラム形状生成部１１０４へと送出される。ヒストグラム形状生成部１１０４では、暗い画素”１”を画素位置毎にカウントする。
【００５８】
図１５は、図６に示した原稿と図１３に示した二値画像生成部１１０３により出力される２値化画像との位置関係を説明する図であり、図中の左下：ＯＭ、ＯＳはそれぞれ、主走査方向、副走査方向の基準位置であり、この基準位置をもとに各方向（主走査方向／副走査方向）に、後述する図１７，図１８に示すヒストグラムを生成する。
【００５９】
ヒストグラム形状生成部１１０４は、二値画像生成部１１０３により二値化された二値画像Ｂｉをもとに、ヒストグラム形状生成部１１０４で主・副走査毎にヒストグラムを作成する。
【００６０】
以上得られた、主・副走査方向のヒストグラム値は、一次元のルックアップテーブル（ＬＵＴ）として画像の特徴量としてＲＡＭ２００２に一時保存される。
【００６１】
図１６は、図８，図９に示した操作部２０１２に表示される設定画面表示例を示す図であり、登録手続きの完了を示す画面例に対応する。
【００６２】
図１６に示すように、画面１５０１では、登録の完了のアナウンスと共に、鑑定時に必要なＩＤ番号が表示される。
【００６３】
図１７は、図１３に示したヒストグラム形状生成部１１０４により生成される主走査方向に対する輝度信号の頻度特性を示す図であり、図１８は、図１３に示したヒストグラム形状生成部１１０４により生成される副走査方向に対する輝度信号の頻度特性を示す図である。
【００６４】
図１９は、本発明に係る画像処理システムにおける第１のデータ処理手順の一例を示すフローチャートであり、原本登録処理手順に対応する。なお、Ｓ２０１〜Ｓ２０７はＭＦＰ側のステップを示し、Ｓ２０８〜Ｓ２１１はサーバ側のステップを示す。
【００６５】
図７において、スキャナ２２７０にセットされた原本（原稿）６０１は、はじめに、図８に示す操作部２０１２にて、”登録”を選択する（Ｓ２０１）。ここで、”登録”を選択すると、続いて、図９に示す原本を保証するために付与する情報（付与項目）の登録を行う（Ｓ２０２）。
【００６６】
ここで、付与情報としての選択項目は、登録日時、原本作成者（著作権）、登録者、内容が用意されており、図１０，図１１において、ユーザは必要な登録情報を操作部上で選択することが可能となる。
【００６７】
ここで、図１０において、１００３は文字を入力する入力部で、パソコンのキーボード配列と同じ構成になっている。そのため、アルファベット入力は勿論、ローマ字入力したものを変換したものまで登録が可能となる。１００１は、入力部１００３で入力した文字列を表示する部分である。以上の入力手順で入力が終了すると、ＯＫボタン１００２で入力が完了する。以下、登録者、内容の項目についても同様の手順で作成される。
【００６８】
なお、本実施形態では、登録日時は、登録作業終了時の日時が自動的に付与される構成になっているが、付与項目の設定時に選択項目として設定することも可能である。
【００６９】
次に、付与情報が確定すると、スキャナ２２７０は原稿をスキャンし、原稿の特徴抽出を行う（Ｓ２０３）。以上がスキャナ画像処理部２０８０で実施される特徴量の算出アルゴリズムである。
【００７０】
以上の動作が終了すると、ＭＦＰ２２０は、保証付与／鑑定サーバ２３７０にＭＦＰ２２０の自機を識別できる識別番号を知らせて、保証付与／鑑定サーバ２３７０に登録情報を識別するＩＤの発行を依頼する（Ｓ２０４）。保証付与／鑑定サーバ２３７０は、ＩＤ発行部２３８０にて過去に登録された登録ＩＤを検索し（Ｓ２０８）、重複しないＩＤを決定してＭＦＰ２２０に通知する（Ｓ２０９）。
【００７１】
続いて、ＭＦＰ２２０は、サーバ２３７０より通知されたＩＤ番号、ＲＡＭ２００２に一時記憶された特徴量、日付、作成者、登録者、内容と共に、ＭＦＰ２２０を識別できる機体識別番号を、サーバ２３７０に送信する（Ｓ２０６）。
【００７２】
そして、サーバ２３７０では、発行したＩＤ番号と機体識別番号との整合性をサーバ２３７０内のＩＤ検証部２３９０で検証した後（Ｓ２１０）、合致していないと判定した場合は、登録は無効となり、処理は終了する。
【００７３】
一方、ステップＳ２１０で、合致していると判断した場合は、サーバ２３７０内の記憶部（不図示）に登録し、登録の手続きが完了したことをＭＦＰ２２０に通知して（Ｓ２０１１）、本処理を終了する。
【００７４】
このとき、同時にＭＦＰ２２０がＩＤの発行依頼を行った日時と、登録作業が完了した日時を上記ＩＤと関連づけて、サーバ２３７０内に記憶する。
【００７５】
続いて、原本を保証する、鑑定を行うシーケンスについて説明する。
【００７６】
本実施形態では、鑑定を行うＭＦＰとして、登録を行ったＭＦＰ２２０とは異なる、ＭＦＰ２００で行うものとする。ただし、登録・鑑定の作業は本実施形態で示すような異なるＭＦＰでなく、同じＭＦＰで行っても構わない。
【００７７】
〔鑑定処理〕
図２０は、本発明に係る画像処理システムにおける原本の鑑定処理におけるデータの流れを説明するブロック図であり、図１と同一のものには同一の符号を付してある。
【００７８】
図２１〜図２５は、図２０に示す操作部２０１２に表示される鑑定処理表示画面の一例を示す図である。
【００７９】
図２６は、本発明に係る画像処理システムにおける第２のデータ処理手順の一例を示すフローチャートであり、原本鑑定処理手順に対応する。なお、Ｓ２１１〜Ｓ２１５はＭＦＰ側のステップを示し、Ｓ２１６，Ｓ２１７はサーバ側のステップを示す。
【００８０】
図２０において、操作者はＭＦＰ２００のスキャナ２２７０に原本６０１をセットし、登録時と同様に操作部２０１２（図８と同様）にて、”鑑定”を選択する（Ｓ２１１）。
【００８１】
そして、”鑑定”を選択すると、続いてサーバ２３７０に登録された情報を照合するため、操作部に図２１に示すＩＤ入力画面が表示され、操作者はＩＤ番号の入力（画面１７０１）を行う。そして、入力が完了しＯＫボタン１７０２を押す（Ｓ２１２）。
【００８２】
なお、ＩＤ番号を入力するための画面構成上の各配置は、図１０〜１２等に示す操作画面上で示すものと同様な配列、構成となっている。
【００８３】
そして、入力が完了すると、ＭＦＰ２００は、登録時と同じシーケンスで原稿の特徴量を求める（Ｓ２１３）。次に、求められた主・副走査のヒストグラム形状は、先に入力されたＩＤ番号と共に、サーバ２３７０へ送信され（Ｓ２１４）、サーバ２３７０内の鑑定部２３９５により、ＩＤ番号をもとに登録時の特徴量と比較処理が行われる（Ｓ２１６）。この時、ＩＤ番号をサーバ２３７０にて検索した際、上記ＩＤが存在しなかったと判定した場合は、以下の比較処理で用いる登録時のベクトル形状データは、オール「０」、即ち、真っ白な画像として適用される。
【００８４】
なお、サーバ２３７０がＩＤ、ならびに特徴量の比較処理を実施している間、ＭＦＰ２００の操作部２０１２上では、図２２に示すようなステータス画面を表示する。
【００８５】
本実施形態における上記特徴量の比較処理は、２つの処理、例えば内積、閾値処理によって実現される。そこで、はじめに内積について説明する。
【００８６】
内積処理は、サーバ２３７０にＩＤで関連付けられて格納されている主走査・副走査の各一次元のベクトルデータ（ＬＵＴで管理されている）と、鑑定時に転送されるデータと、以下の第（２）式により計算される。
【００８７】
Ａ＝Σ（ＴＭｉ×ＫＭｉ）／（ΣＴＭｉ）２
Ｂ＝Σ（ＴＳｉ×ＫＳｉ）／（ΣＴＳｉ）２  ……（２）
なお、上記第（２）式において、Ａ、Ｂはそれぞれ、主走査、副走査方向の規格化された相関値を表し、ＴＭ、ＴＳはそれぞれ、登録された主走査、副走査方向のベクトル形状、ＫＭ、ＫＳはそれぞれ、今回鑑定時に送信された主走査、副走査方向のベクトル形状をあらわす。なお、第（２）式中において、添え字”ｉ”は位置情報を表す。
【００８８】
そして、計算結果は、登録時のデータで規格化されているため、Ａ、Ｂの値域は、「０〜１」となる。
【００８９】
上記の演算によって得られた相関値Ａ、Ｂは続く閾値処理にて比較され、最終的に鑑定画像と登録画像が同一であるか否かが以下の第（３）式により比較処理にて判定される。
【００９０】
ｉｆ（（Ａ≧ｖａｌＡ）  ＆  （Ｂ≧ｖａｌＢ））ｔｈｅｎ”登録画像と同一”ｅｌｓｅ”登録画像とは異なる”    ……（３）
上記第（３）式において、閾値：ｖａｌＡ，ｖａｌＢはスキャナ２０７０や２２７０の精度に依存するパラメータであるが、本実施形態では、ｖａｌＡ＝０．９７、ｖａｌＢ＝０．９６として処理を実装した。
【００９１】
以上の処理の結果、同一原稿と判定された場合は、図２３に示すようにＩＤと共に鑑定結果を表示し、異なると判定された場合は、図２４、図２５に示すような鑑定結果をメッセージを通知し（Ｓ２１７）、これをＭＦＰ側で受信して（Ｓ２１５）、その内容を表示して、処理を終了する。
【００９２】
なお、図２４は、ＩＤ番号は既に登録されたものであることが認証され、同時に送信された特徴量が、サーバ２３７０でＩＤと関連付けられたものと異なった場合に表示される画面の一例であり、図２５は、ＩＤそのものが、サーバ２３７０で登録されておらず鑑定できなかった一例の画面を示す。
【００９３】
〔第２実施形態〕
次に、本発明の第２実施形態について説明するが、以下では、第１実施形態と同様な構成の説明は省略し、異なる部分について説明する。
【００９４】
上記第１実施形態の鑑定処理フローでは、特徴量の比較処理を行う前に、転送されたＩＤがサーバ２３７０内に存在しなかった場合、ダミーのデータを使って演算を行っていたが、該演算開始前に、ＩＤのみをチェックして、鑑定処理の実行の可否を決定できるように構成してもよい。以下、その実施形態について説明する。
【００９５】
図２７は、本発明に係る画像処理システムにおける第３のデータ処理手順の一例を示すフローチャートであり、原本鑑定処理手順に対応する。なお、Ｓ２２１〜Ｓ２２７はＭＦＰ側のステップを示し、Ｓ２２８〜Ｓ２３１はサーバ側のステップを示す。
【００９６】
第１実施形態と同様に、操作者はＭＦＰ２００のスキャナ２２７０に原本６０１をセットし、図８に示した操作部２０１２にて、”鑑定”を選択する（Ｓ２２１）。
【００９７】
そして、”鑑定”を選択すると、続いてサーバ２３７０に登録された情報を照合するため、図２１に示すＩＤ入力画面が表示され、操作者はＩＤ番号の入力（画面１７０１）を行う。そして、入力が完了しＯＫボタン１７０２を押す（Ｓ２２２）。
【００９８】
そして、入力が完了すると、ＭＦＰ２００は、第１実施形態と同じシーケンスで原稿の特徴量を求める（Ｓ２２３）。次に、先に入力されたＩＤ番号をサーバ２３７０へ送信し（Ｓ２２４）、サーバ２３７０内でＩＤ検証部２３９０にて上記ＩＤの検証処理を行う（Ｓ２２８）。
【００９９】
そして、該検証結果は、送信元のＭＦＰ２００に送られる（Ｓ２２９）。
【０１００】
次に、ＭＦＰ２００は、サーバ２３７０から送信された検証結果を判断し（Ｓ２２５）、ＩＤ認証結果がＯＫであると判定された場合は、続いて、特徴量をサーバ２３７０に送信する（Ｓ２２６）。
【０１０１】
これを受けて、サーバ２３７０では、送信された特徴量を確認して（Ｓ２３０）、鑑定結果をＭＦＰ２００に通知して（Ｓ２３１）、処理を終了する。
【０１０２】
そして、２００はサーバ２３７０から鑑定結果を受信して（Ｓ２２７）、その内容を操作部に表示して、処理を終了する。
【０１０３】
一方、ステップＳ２２５で、上記ＩＤが存在しない場合、ＩＤ認証結果がＮＧと判定された場合は、本処理を終了する。
【０１０４】
第２実施形態では、鑑定時にＩＤと画像特徴量を同時に送る前に、先にＩＤ番号だけがサーバ２３７０に転送され、サーバ２３７０に送信された特徴量は、先に送られたＩＤと関連付けられた特徴量と比較処理され、その結果がＭＦＰ２００に送られる。
【０１０５】
そして、比較処理の結果、原本として鑑定された場合は、第１実施形態と同じく図２３に示す表示がなされ、また、比較の結果、異なるものと判断された場合は、図２４に示す表示がなされ、処理が終了する。
【０１０６】
以下、図２８に示すメモリマップを参照して本発明に係る画像処理装置，サーバ装置を含む画像処理システムで読み取り可能なデータ処理プログラムの構成について説明する。
【０１０７】
図２８は、本発明に係る画像処理装置，サーバ装置を含む画像処理システムで読み取り可能な各種データ処理プログラムを格納する記憶媒体のメモリマップを説明する図である。
【０１０８】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０９】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１１０】
本実施形態における図１９，図２６，図２７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１１１】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１１２】
この場合、記憶媒体から読み出されたプログラムコード自体が本発明の新規な機能を実現することになり、そのプログラムコードを記憶した記憶媒体は本発明を構成することになる。
【０１１３】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１１４】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１６】
本発明は上記実施形態に限定されるものではなく、本発明の趣旨に基づき種々の変形（各実施形態の有機的な組合せを含む）が可能であり、それらを本発明の範囲から排除するものではない。
【０１１７】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１５について説明する。
【０１１８】
〔実施態様１〕
原稿を電子データとして取り込み、該電子データに所定の画像処理を施す画像処理装置と外部機器とが通信可能な画像処理システムにおける画像処理方法であって、前記電子データに付与すべき特定情報を選択する選択ステップ（図１９に示すステップＳ２０１）と、前記電子データの特徴量を抽出する抽出ステップ（図１９に示すステップＳ２０３）と、前記外部機器に対して識別番号の発行を要求する要求ステップ（図１９に示すステップＳ２０４）と、前記要求ステップに応じて、前記外部機器より発行される識別番号を取得する取得ステップ（図１９に示すステップＳ２０５）と、前記取得ステップにより取得される識別番号と、前記抽出ステップにより抽出された特徴量と、前記選択ステップにより選択される特定情報とから原本特定情報を生成して前記外部機器に送信する送信ステップ（図１９に示すステップＳ２０６）と、を有することを特徴とする画像処理方法。
【０１１９】
〔実施態様２〕
原稿を電子データとして取り込み、該電子データに所定の画像処理を施す画像処理装置と外部機器とが通信可能な画像処理システムにおける画像処理方法であって、前記外部機器からの要求に応じて、識別番号を発行する発行ステップ（図１９に示すステップＳ２０８，Ｓ２０９）と、前記画像処理装置が前記識別番号と、前記画像読み取り手段にて原稿から抽出される特徴量と、選択される特定情報とから生成される原本特定情報と前記識別番号とが一致するかどうかを検証する検証ステップ（図１９に示すステップＳ２１０）と、前記検証ステップにより前記識別番号が一致すると検証された場合に、前記原本特定情報を記憶装置に原本登録する登録ステップ（図１９に示すステップＳ２１１）と、を有することを特徴とする画像処理方法。
【０１２０】
〔実施態様３〕
原稿を電子データとして取り込み、該電子データに所定の画像処理を施す画像処理装置と外部機器とが通信可能な画像処理システムにおける画像処理方法であって、前記電子データの特徴量を抽出する抽出ステップ（図２６に示すステップＳ２１３）と、前記抽出ステップにより抽出された特徴量と、前記外部機器から発送されている識別情報とから原本鑑定依頼情報を生成して前記外部機器に送信する送信ステップ（図２６に示すステップＳ２１４）と、前記外部機器から通知される鑑定結果を操作部に表示する表示ステップ（図２６に示すステップＳ２１５）と、を有することを特徴とする画像処理方法。
【０１２１】
〔実施態様４〕
原稿を電子データとして取り込み、該電子データに所定の画像処理を施す画像処理装置と外部機器とが通信可能な画像処理システムにおける画像処理方法であって、前記外部機器から送信される特徴量と識別情報とを含む原本鑑定依頼情報を登録された原本特定情報と比較検証して鑑定する鑑定ステップ（図２６に示すステップＳ２１６）と、前記鑑定ステップによる鑑定結果を前記画像処理装置に通知する通知ステップ（図２６に示すステップＳ２１７）と、を有することを特徴とする画像処理方法。
【０１２２】
〔実施態様５〕
前記発行ステップは、識別番号とともに、発行日時情報を合わせて発行することを特徴とする実施態様２記載の画像処理方法。
【０１２３】
〔実施態様６〕
前記登録ステップは、前記検証ステップにより前記識別番号が一致すると検証された場合に、前記原本特定情報と前記発行ステップにより発行された発行日時情報を記憶装置に原本登録することを特徴とする実施態様２記載の画像処理方法。
【０１２４】
〔実施態様７〕
前記選択ステップは、前記電子データに付与すべき特定情報として、該電子データの作成者、登録者、作成日時、内容のいずれかを選択可能とすることを特徴とする実施態様１記載の画像処理方法。
【０１２５】
〔実施態様８〕
前記抽出ステップは、前記電子データからモノクロ信号を生成する第１の生成ステップと、前記モノクロ信号から所定のしきい値に基づき二値化処理して二値画像データを生成する第２の生成ステップと、前記二値画像データを解析してヒストグラムデータを生成する第３の生成ステップとを含むことを特徴とする実施態様１記載の画像処理方法。
【０１２６】
〔実施態様９〕
前記通知ステップは、鑑定結果と比較された識別情報に関連づけられた付与情報も同時に前記画像処理装置に通知することを特徴とする実施態様４記載の画像処理方法。
【０１２７】
〔実施態様１０〕
原稿を電子データとして取り込み、該電子データを外部機器に転送する画像読み取り手段を備える画像処理装置であって、前記電子データに付与すべき特定情報を選択する選択手段（図１９に示すステップＳ２０１）と、前記電子データの特徴量を抽出する抽出手段（図１９に示すステップＳ２０３）と、前記外部機器に対して識別番号の発行を要求する要求手段（図１９に示すステップＳ２０４）と、前記要求手段に応じて、前記外部機器より発行される識別番号を取得する取得手段（図１９に示すステップＳ２０５）と、前記取得手段により取得される識別番号と、前記抽出手段により抽出された特徴量と、前記選択手段により選択される特定情報とから原本特定情報を生成して前記外部機器に送信する送信手段（図１９に示すステップＳ２０６）と、を有することを特徴とする画像処理装置。
【０１２８】
〔実施態様１１〕
原稿を電子データとして取り込み、該電子データに所定の画像処理を行う画像処理装置と通信可能な外部機器であって、前記外部機器からの要求に応じて、識別番号を発行する発行手段（図１９に示すステップＳ２０８，Ｓ２０９）と、前記画像処理装置より前記識別番号と、前記電子データから抽出される特徴量と、選択される特定情報とから生成される原本特定情報とを受信して、原本特定情報中の前記識別番号とが一致するかどうかを検証する検証手段（図１９に示すステップＳ２１０）と、前記検証手段により前記識別番号が一致すると検証された場合に、前記原本特定情報を記憶装置に原本登録する登録手段（図１９に示すステップＳ２１１）と、を有することを特徴とする外部機器。
【０１２９】
〔実施態様１２〕
原稿を電子データとして取り込み、該電子データを外部機器に転送する画像読み取り手段を備える画像処理装置であって、前記電子データの特徴量を抽出する抽出手段（図２６に示すステップＳ２１３）と、前記抽出手段により抽出された特徴量と、前記外部機器から発送されている識別情報とから原本鑑定依頼情報を生成して前記外部機器に送信する送信手段（図２６に示すステップＳ２１４）と、前記外部機器から通知される鑑定結果を操作部に表示させる通知手段（図２６に示すステップＳ２１５）と、を有することを特徴とする画像処理装置。
【０１３０】
〔実施態様１３〕
原稿を電子データとして取り込み、該電子データに所定の画像処理を行う画像処理装置と通信可能な外部機器であって、前記外部機器から送信される特徴量と識別情報とを含む原本鑑定依頼情報を登録された原本特定情報と比較検証して鑑定する鑑定手段（図２６に示すステップＳ２１６）と、前記鑑定手段による鑑定結果を前記画像処理装置に通知する通知手段（図２６に示すステップＳ２１７）と、を有することを特徴とする画像処理装置。
【０１３１】
〔実施態様１４〕
実施態様１〜９のいずれかに記載の画像処理方法を実現するプログラムを記憶したことを特徴とするコンピュータが読み取り可能な記憶媒体。
【０１３２】
〔実施態様１５〕
実施態様１〜９のいずれかに記載の画像処理方法を実現することを特徴とするプログラム。
【０１３３】
上記実施態様および実施形態によれば、原稿の登録には、原稿をディジタル化したものからの特徴量を登録するため、原稿のディジタル情報がネットワーク上に流れず、セキュリティ面においても強固なシステムとなり、保証する管理サーバの記憶容量が軽減される。
【０１３４】
また、登録作業においては、サーバから発行されるＩＤだけでなく、スキャナの機体番号（自機番号）を送付させるため、登録時に、他の介在により不正な登録が実行されることを防ぐ効果を持つ。
【０１３５】
さらには、原本の鑑定手段では、鑑定に比較的安価な計算コストで鑑定を実現できるため、処理時間だけでなく簡易な実装でシステムを構築できる。
【０１３６】
さらに、原稿の登録には、原稿をディジタル化したものからの特徴量を登録するため、原本を保証する管理サーバの記憶容量の増大を防ぐことができる。
【０１３７】
また、原本の鑑定手段においても、登録時と同様な手段により特徴量を求めるため、鑑定のための特別な手段を必要としないため比較的容易にシステムを構築することが可能となる。
【０１３８】
さらには、特徴量を算出するアルゴリズムは、原稿をディジタル化する機能複合型周辺機器（ＭＦＰ）側で行うため、原稿をディジタル化した情報がネットワーク上に流れない為、セキュリティ面においても強固なシステムとなり得る。
【０１３９】
【発明の効果】
以上説明したように、本発明によれば、原稿の登録には、原稿をディジタル化したものからの特徴量を登録するため、原稿のディジタル情報がネットワーク上に流れず、セキュリティ面においても強固なシステムとなり、保証する管理サーバの記憶容量が軽減されるという効果を奏する。
【図面の簡単な説明】
【図１】本発明の第１実施形態を示す画像出力装置および情報処理装置を適用可能な画像処理システムの一例を示すブロック図である。
【図２】図１に示した画像形成装置のコントロールユニットの構成を説明するブロック図である。
【図３】図１に示した画像形成装置のスキャナ，プリンタの構成を説明する外観図である。
【図４】図３に示した操作部の構成を説明する平面図である。
【図５】図４に示した操作部の制御構成を説明するブロック図である。
【図６】図１に示したＭＦＰから入力される保証すべき原本の一例を示す図である。
【図７】本発明に係る画像処理システムにおける原本原稿処理におけるデータの流れを説明するブロック図である。
【図８】図１に示した操作部に表示される設定画面の一例を示す図である。
【図９】図１に示した操作部に表示される設定画面の一例を示す図である。
【図１０】図８，図９に示した操作部に表示される設定画面表示例を示す図である。
【図１１】図８，図９に示した操作部に表示される設定画面表示例を示す図である。
【図１２】図８，図９に示した操作部に表示される設定画面表示例を示す図である。
【図１３】図２に示したスキャナ画像処理部の特徴画像抽出部の構成を説明する図である。
【図１４】図１３に示したヒストグラム形状生成部により生成される輝度信号の頻度特性を示す図である。
【図１５】図６に示した原稿と図１３に示した二値画像生成部により出力される２値化画像との位置関係を説明する図である。
【図１６】図８，図９に示した操作部に表示される設定画面表示例を示す図である。
【図１７】図１３に示したヒストグラム形状生成部により生成される主走査方向に対する輝度信号の頻度特性を示す図である。
【図１８】図１３に示したヒストグラム形状生成部により生成される副走査方向に対する輝度信号の頻度特性を示す図である。
【図１９】本発明に係る画像処理システムにおける第１のデータ処理手順の一例を示すフローチャートである。
【図２０】本発明に係る画像処理システムにおける原本の鑑定処理におけるデータの流れを説明するブロック図である。
【図２１】図２０に示す操作部に表示される鑑定処理表示画面の一例を示す図である。
【図２２】図２０に示す操作部に表示される鑑定処理表示画面の一例を示す図である。
【図２３】図２０に示す操作部に表示される鑑定処理表示画面の一例を示す図である。
【図２４】図２０に示す操作部に表示される鑑定処理表示画面の一例を示す図である。
【図２５】図２０に示す操作部に表示される鑑定処理表示画面の一例を示す図である。
【図２６】本発明に係る画像処理システムにおける第２のデータ処理手順の一例を示すフローチャートである。
【図２７】本発明に係る画像処理システムにおける第３のデータ処理手順の一例を示すフローチャートである。
【図２８】本発明に係る画像処理装置，サーバ装置を含む画像処理システムで読み取り可能な各種データ処理プログラムを格納する記憶媒体のメモリマップを説明する図である。
【符号の説明】
２００，２２０  ＭＦＰ
２０００  コントローラユニット
２０１２  操作部
２０７０  スキャナ
２０９５  プリンタ
２３７０  サーバ
２３８０  ＩＤ発行部
２３９０  ＩＤ検証部
【図１】
2004320378.tif 000003
【図２】
2004320378.tif 000004
【図３】
2004320378.tif 000005
【図４】
2004320378.tif 000006
【図５】
2004320378.tif 000007
【図６】
2004320378.tif 000008
【図７】
2004320378.tif 000009
【図８】
2004320378.tif 000010
【図９】
2004320378.tif 000011
【図１０】
2004320378.tif 000012
【図１１】
2004320378.tif 000013
【図１２】
2004320378.tif 000014
【図１３】
2004320378.tif 000015
【図１４】
2004320378.tif 000016
【図１５】
2004320378.tif 000017
【図１６】
2004320378.tif 000018
【図１７】
2004320378.tif 000019
【図１８】
2004320378.tif 000020
【図１９】
2004320378.tif 000021
【図２０】
2004320378.tif 000022
【図２１】
2004320378.tif 000023
【図２２】
2004320378.tif 000024
【図２３】
2004320378.tif 000025
【図２４】
2004320378.tif 000026
【図２５】
2004320378.tif 000027
【図２６】
2004320378.tif 000028
【図２７】
2004320378.tif 000029
【図２８】
2004320378.tif 000030